(57)【要約】【課題】  露受皿構造を改良することによって、庫内における冷却温度分布を改善し、有効な貯蔵スペースを拡大することができる冷蔵庫を提供する。【解決手段】  貯蔵空間６の天井部の一側方に片寄せして配置した板状冷却器７と、この冷却器の下方に近接して貯蔵室のほぼ全幅に亙って設けた露受皿９とを有し、この露受皿の前記冷却器に対向する面上に形成した複数の凸条部10の側面に通気孔11を穿設するとともに前部に対して後方の通気孔12の開口面積を小さくし、冷却器端部と貯蔵室の他方側との間の露受皿の面上を食品載置棚９ｂとしたことを特徴とする。【選択図】  図３
2006336984.tif 000002
【特許請求の範囲】
【請求項１】
貯蔵空間の天井部の一側方に片寄せして配置した板状冷却器と、この冷却器の下方に近接して貯蔵室のほぼ全幅に亙って設けた露受皿とを有し、この露受皿の前記冷却器に対向する面上に形成した複数の凸条部の側面に通気孔を穿設するとともに前部に対して後方の通気孔の開口面積を小さくし、冷却器端部と貯蔵室の他方側との間の露受皿の面上を食品載置棚としたことを特徴とする冷蔵庫。
【請求項２】
複数の凸条部を庫内の前後方向に亙って列設し、前部に対して後方の凸条部における通気孔の開口面積を小さくしたことを特徴とする請求項１記載の冷蔵庫。
【請求項３】
冷却器の他方側における露受皿の載置棚部に特定食品用の保持ブロックを突設したことを特徴とする請求項１記載の冷蔵庫。
【発明の詳細な説明】
【技術分野】
【０００１】
本発明は、貯蔵室内に直冷式冷却器を設け、その下部に露受皿を配置した冷蔵庫に関する。
【背景技術】
【０００２】
従来、一般的な家庭用の大型冷蔵庫は、冷却器で生成した冷気をファンで循環させる強制循環冷却方式が主流であるが、収納内容積が５０から１００Ｌ程度の小型冷蔵庫は、冷却効率や騒音面から、貯蔵室内の上部に設置した冷却器からの冷気を自然対流により循環させて貯蔵食品を冷却するいわゆる直冷式を採用することが多い。
【０００３】
その構成は、図６、図７に示すように、貯蔵室（56）を形成する内箱（53）の天井部に、ほぼＬ字状に形成した冷却器（57）を庫内幅方向の一側に寄せて設置し、Ｌ字状の立ち上がり部の上部を内箱天井部に固着するとともに水平部の側端部は内箱（53）の上部側面に取り付けた庫内温度などを操作調整するパネルボックス（58）の側壁に保持して固定している。
【０００４】
前記冷却器（57）は直冷式であって、冷却作用とともにその表面に着霜することから、自動的、あるいは任意の時期に除霜するように構成されており、除霜作用時に発生する冷却器からの除霜水を受ける図８に示す露受皿（59）を庫内の中央高さ部分に設置している食品載置用のワイヤ棚（60）上に載置し、除霜水が溜まったときには、この露受皿（59）を庫外に取り出して排水するようにしている。
【発明の開示】
【発明が解決しようとする課題】
【０００５】
しかしながら、上記構成による露受皿（59）は、冷却器（57）と間隔を置いた食品載置用のワイヤ棚（60）上に配設しているため、露を受けるように容器状に形成された露受皿（59）と冷却器（57）の下面との間に形成される空間（56ａ）に冷気が滞留し、滞留部の温度はマイナス１０度程度の低温になって、露受皿（59）上に載置した食品が凍結してしまうおそれがあった。したがって、貯蔵空間として使用できる空間は露受皿（59）側方のワイヤ棚（60）上と底面部のみとなり、小型冷蔵庫であるだけに無効容積の比率が高く有効に食品を貯蔵できる容積が少なくなる問題があった。
【０００６】
本発明は上記点を考慮してなされたものであり、露受皿構造を改良することによって、庫内における冷却温度分布を改善し、有効な貯蔵スペースを拡大することができる冷蔵庫を提供することを目的とする。
【課題を解決するための手段】
【０００７】
上記課題を解決するために、本発明の冷蔵庫は、貯蔵空間の天井部の一側方に片寄せして配置した板状冷却器と、この冷却器の下方に近接して貯蔵室のほぼ全幅に亙って設けた露受皿とを有し、この露受皿の前記冷却器に対向する面上に形成した複数の凸条部の側面に通気孔を穿設するとともに前部に対して後方の通気孔の開口面積を小さくし、冷却器端部と貯蔵室の他方側との間の露受皿の面上を食品載置棚としたことを特徴とするものである。
【発明の効果】
【０００８】
本発明の構成によれば、露受皿を冷却器の下方近傍に配設することで、露受皿の下方を貯蔵空間として有効に活用できるとともに、冷却器からの冷気を通気孔から流下させ下方空間を良好に冷却することができ、且つ、露受皿後部の下方空間部においても過冷却温度帯となることを防いで、庫内の温度分布を良好に改善することができる。
【発明を実施するための最良の形態】
【０００９】
以下、図面に基づき本発明の１実施形態について説明する。正面図を図１、縦断面図を図２に示す冷蔵庫本体（１）は、薄鋼板で形成された外箱（２）と合成樹脂材からなる内箱（３）との間隙に断熱材を発泡充填して一体化させることで断熱箱体を形成し、機械室（４）に設置した圧縮機（５）の駆動による吐出冷媒を凝縮し減圧することで貯蔵室（６）内に配設した冷却器（７）で蒸発させ、生成された冷気によって庫内を所定温度に冷却している。
【００１０】
冷却器（７）は、アルミニウム板などの２枚の密着平板間に冷媒通路を膨管して形成したロールボンド型、あるいはステンレス板の片面に冷媒パイプを溶着したパイプオンシート型の板体をＬ字状に曲げ成形して形成したものであり、一側を庫内側面に固着した温度調節器などを収納して操作するパネルボックス（８）の側壁の係合部に保持し、Ｌ字状の立ち上がり部の折曲端縁を内箱天井部に係合するようにして取り付けている。
【００１１】
冷却器（７）の冷却力は庫内容積に合わせて設定されており、より大きな冷却力を要する場合は、Ｌ字状ではなくＵ字状にするなどしてその表面積を拡大するようにする。
【００１２】
前記冷却器（７）の水平面上は−６〜−１０℃程度に冷却されるため製氷や冷凍食品の保存棚として使用し、冷却器（７）の下方には、冷却器下面に近接するように貯蔵室（６）のほぼ全幅に亙って露受皿（９）を配置している。
【００１３】
この露受皿（９）は、前記パネルボックス（８）とこれに対向する内箱（３）の他側壁とにそれぞれ形成した受け部（８ａ）（３ａ）との間に架設されており、図３に示すように、合成樹脂で一体に形成して容器状をなし、後部には内箱（３）背面に形成した係合部に係合する係合片（９ａ）を突出させて設置時の位置決めとしており、冷却器（７）に対向する除霜水の貯留底面には、庫内の幅方向に延びる凸状部（10）を庫内の前後方向に複数列に亙って設けている。
【００１４】
前記凸条部（10）は、上面を平坦にして側面を急勾配の傾斜面にした断面台形状をなしており、側面における下面からの所定の高さ位置には、凸条部の長手方向に延びる通気孔（11）を穿設している。この通気孔（11）の開口面積は、複数列の前部に対して後方の凸条部の通気孔（12）を幅寸法を狭くするなどして小さくしている。
【００１５】
開口面積を小さくした後方の通気孔（12）は、図２に示すように、機械室（４）を形成している段部（13）上に相当する部分に対応させており、段部（13）上への冷気の流下量を少なくして該部分が凍結したり過冷却されないようにしている。
【００１６】
内箱（３）天井部の一側方に寄せて取り付けたＬ字状冷却器（７）の立ち上がり部と他側壁側との間の露受皿（９）の上面は、収納食品の載置棚（９ｂ）として使用する。そして、この載置棚（９ｂ）を形成する面は前記冷却器（７）下面の露受け面における凸条部（10）の通気孔（11）（12）下端よりも上部に位置させるようにして、棚上に載置される食品が貯留された除霜水中に浸されないようにしている。
【００１７】
上記構成により、冷却器（７）で生成された冷気は、自然対流により降下し、露受皿（９）の通気孔（11）（12）を介して下方へ流出し、貯蔵室（６）内を、例えば、３℃の冷蔵温度に冷却保持するものである。このとき、庫内後方における段部（13）上の冷却器（７）下面との間隙部（６ａ）は他に比し容積が小さいため過冷却になり易いものであるが、対応する上部の露受皿（９）の通気孔（12）は開口面積を小さくしているため、流下する冷気量も少なくなり、従来のように過度に冷却されることがなく、他の部分と同等の温度分布にすることができる。
【００１８】
そして、ヒーター加熱、あるいは圧縮機（５）の運転を所定時間停止しておこなう除霜時には、冷却器（７）に付着した霜が融解して除霜水が下方に滴下し、これを露受皿（９）で受けるように作用するが、前記通気孔（11）（12）は前記台形状の凸条部（10）の側面に穿設していることから、滴下する除霜水が通気孔（11）（12）に進入することはほとんどない。したがって、除霜水は、通気孔（11）（12）を通ってそのまま貯蔵室（６）に滴下することなく露受皿（９）内に貯留されるものであり、冷却運転時には、冷却器（７）からの冷気のみが通気孔（11）（12）を経由して下方の貯蔵室（６）空間に流下するように作用する。
【００１９】
勿論、従来の冷却器（57）下面と露受皿（59）との間隔が大きく、スペースを占有するとともに冷気が露受皿上部に滞留して空間内が凍結温度にまで過冷却され、前記空間部が食品貯蔵に適さないスペースであったことに比較して、本発明における露受皿（９）下方の空間は露受皿の位置を上げた分だけ拡大することになり、食品を有効に冷却貯蔵できる容積効率を向上でき、且つ、冷却器（７）からの冷気は露受皿（９）の通気孔（11）（12）を経由して下方に流下し、貯蔵空間（６）を効果的に冷却することができる。
【００２０】
そして、冷却器（７）の立ち上がり部から他側壁側の露受皿（９）上面は、冷却器（７）の立ち上がり部の外面からの冷気降下で他と同様の冷蔵温度に冷却されることになり、小空間の載置棚（９ｂ）として適宜食品を載置することができるとともに、露受皿（９）の下部には従来同様ワイヤ棚（14）を設置でき、大きな冷却貯蔵空間として有効に活用することができるものである。
【００２１】
なお、上記構成に限らず、同一部分に同一符号を附した図４に示すように、載置棚（19ｂ）とする露受皿（19）の他方側の面は、前記凸条部（10）と同様の凸部（20）を多数立設させ、食品を載置した際には食品が凸部（20）上に位置して除霜水位より上に載置されるようにしてもよい。
【００２２】
また、他の実施例として図５に示すように、露受皿（29）の他方側の面上は、前記凸条部（10）の端縁に形成した円弧部（10ａ）と、これに対応する円弧部（16ａ）を有するブロック（16）を突設することで、突設した円弧部（10ａ）（16ａ）間を、例えば、ペットボトル（17）などの特定食品を保持するエリア（29ｂ）としてもよい。
【００２３】
すなわち、ペットボトル（17）は、円弧部（10ａ）（16ａ）間に載置されることによって、容器内に溜まる除霜水位より上に位置するとともに、多少の容量の相違があっても転動することなく安定して保持されるものである。そして、このブロック（16）にも前記凸条部（10）と同様に通気孔（18）を穿設するようにすれば、冷気が流通することにより、エリア内における温度分布をより均一化することができる。
【００２４】
また、前記実施例における凸条部（10）は、露受皿（９）（19）（29）の幅方向に延び、且つ庫内の前後方向に複数列に亙って設けるようにしたが、凸条部を露受皿の前後方向に延びるように突設し、幅方向に複数列設するとともに、通気孔は、凸条部の長手方向に延設して前部に対して後方の開口幅を狭くするようにしてもよい。
【産業上の利用可能性】
【００２５】
本発明は、貯蔵室内に直冷式の板状冷却器と露受皿を配置した比較的小型の冷蔵庫に利用することができる。
【図面の簡単な説明】
【００２６】
【図１】本発明の１実施形態の冷蔵庫の扉を省略した状態を示す正面図である。
【図２】図１の縦断側面図である。
【図３】図１における露受皿の斜視図である。
【図４】図３に示す露受皿の変形例を示す斜視図である。
【図５】図３の露受皿の他の実施例を示す斜視図である。
【図６】従来における図１と同一部分の正面図である。
【図７】図６の縦断面図である。
【図８】図６における露受皿の斜視図である。
【符号の説明】
【００２７】
１  冷蔵庫本体            ２  外箱                ３  内箱
３ａ  受け部              ４  機械室              ５  圧縮機
６  貯蔵室                ６ａ  間隙部            ７  冷却器
８  パネルボックス        ８ａ  受け部            ９、19、29  露受皿
９ａ  係合片              ９ｂ、19ｂ、29ｂ  載置棚部
10  凸条部                10ａ  円弧部            11  通気孔
12  後方の通気孔          13  段部                14  ワイヤ棚
15  凸部                  16  ブロック            16ａ円弧部
17  ペットボトル          18  通気孔              20  凸部
【図１】
2006336984.tif 000003
【図２】
2006336984.tif 000004
【図３】
2006336984.tif 000005
【図４】
2006336984.tif 000006
【図５】
2006336984.tif 000007
【図６】
2006336984.tif 000008
【図７】
2006336984.tif 000009
【図８】
2006336984.tif 000010